(57)【要約】【課題】前覆部を前側へ傾動できるようにし、収納室に対する小物の出し入れを容易にしてポケットが楽に使用できるようにしたランドセルを提供する。【解決手段】ランドセル本体１の外側に、前面が前覆部１６により覆われ小物を収納するポケット１５を設けたランドセルＡであって、前記ポケット１５は、その両側襠部１８と上側襠部１９とに亘り両端が該両側襠部１８の下端部まで達する連続したスライドファスナー２１が設けられ、前記スライドファスナー２１を開けることにより前記前覆部１６がその下縁部を支点にして前側へ傾動できるようにした。【選択図】　図２
2004041243.tif 000002
【特許請求の範囲】
【請求項１】
ランドセル本体の外側に、前面が前覆部により覆われると共に小物が収納されるポケットを設けたランドセルであって、前記ポケットは、その両側襠部と上側襠部とに亘り両端が該両側襠部の下端部まで達する連続したスライドファスナーが設けられ、前記スライドファスナーを開けることにより前記前覆部がその下縁部を支点にして前側へ傾動できるように構成されていることを特徴とするランドセル。
【請求項２】
ランドセル本体の外側に、前面が前覆部により覆われると共に小物が収納されるポケットを設けたランドセルであって、前記ポケットは、上面が開口すると共にその両側襠部に該両側襠部の下端部まで達するスライドファスナーが設けられ、前記両スライドファスナーを開けることにより前記前覆部がその下縁部を支点にして前側へ傾動できるように構成されていることを特徴とするランドセル。
【請求項３】
前記ポケットの収納室内には、前記前覆部を常に前側へ傾動するように付勢する弾性張出部を配置した請求項１又は２記載のランドセル。
【請求項４】
前記ポケットの収納室内には、左右両側に前記前覆部を常に前側へ傾動するように付勢する弾性張出部を配置し、両弾性張出部間に前記収納室内を区画する仕切部を介装した請求項１または２記載のランドセル。
【請求項５】
前記前覆部からその底覆部を介して前記ランドセル本体側に亘り連続しかつ前記前覆部を常に前側へ傾動するように付勢する帯状の板ばねを内装した請求項１又は２記載のランドセル。
【請求項６】
前記前覆部は、その横幅が上側へ進むに従い漸次狭くなるように成形されている請求項２記載のランドセル。
【請求項７】
前記両側襠部の各スライドファスナーに設けられるスライダーの引き手間に、手で操作することができる索条を差し渡した請求項２又は５記載のランドセル。
【発明の詳細な説明】
【０００１】
【発明の属する技術分野】
本発明は、専ら、小物を収納するために設けられたポケットを備えてなるランドセルに関するものである。
【０００２】
【従来の技術】
一般に、教科書や文房具などを収納して学童が通学時に携帯するランドセルは、上面が開口する箱状のランドセル本体の外側に、専ら、手帳や分度器などの小物を収納するためのポケットが設けられている。このポケットは、前面が前覆部により覆われており、上側襠部にスライドファスナーが設けられたもの、または上側襠部に当たる上面がそのまま開口しているものが有る。
【０００３】
【発明が解決しようとする課題】
しかしながら、前記ポケットは、その収納室の前後方向の幅が薄くまた深さが比較的深く成形され、しかも、ランドセル本体と同様に伸縮性の少ない皮革または合成皮革等からなるので、上面の開口が大きく開かず、このため、開口を介して収納室内が外部から見にくく、また、開口を介して収納室内に手も差し込みにくい。よって、児童はほとんど手探り状態で小物をポケット内に収納または取出すようにしており、ともすると取出す物を間違えてしまうなど使いづらく、余り利用されてないのが現状である。
【０００４】
そこで、本発明は上記課題に鑑みてなされたもので、前覆部を前側へ傾動できるようにし、収納室に対する小物の出し入れを容易にしてポケットが楽に使用できるようにしたランドセルを提供することを目的とするものである。
【０００５】
【課題を解決するための手段】
かかる目的を達成するため、本発明に係るランドセルは、請求項１記載のようにランドセル本体の外側に、前面が前覆部により覆われると共に小物が収納されるポケットを設けたランドセルであって、前記ポケットは、その両側襠部と上側襠部とに亘り両端が該両側襠部の下端部まで達する連続したスライドファスナーが設けられ、前記スライドファスナーを開けることにより前記前覆部がその下縁部を支点にして前側へ傾動できるようにした。
【０００６】
また、請求項２記載のようにランドセル本体の外側に、前面が前覆部により覆われると共に小物が収納されるポケットを設けたランドセルであって、前記ポケットは、上面が開口すると共にその両側襠部に該両側襠部の下端部まで達するスライドファスナーが設けられ、前記両スライドファスナーを開けることにより前記前覆部がその下縁部を支点にして前側へ傾動できるようにした。
【０００７】
このように、ポケットの前覆部がその下端縁を支点にして前側へ傾動できるように設けられているので、両側襠部と上側襠部とが大きく開くこととなって、収納室内が良く見えるばかりか収納室への小物の出し入れも容易となり、ポケットが楽に使用できるようになる。
【０００８】
これらの場合、請求項３記載のように前記ポケットの収納室内には、前記前覆部を常に前側へ傾動するように付勢する弾性張出部を配置することが好ましい。これにより、両側襠部と上側襠部とが開いたとき前覆部が自動的に前側へ傾動することとなり、しかも、傾動した状態が保持できることから、小物の収納及び取出しが非常に容易で楽になる。
【０００９】
または、請求項４記載のように前記ポケットの収納室内には、左右両側に前記前覆部を常に前側へ傾動するように付勢する弾性張出部を配置し、両弾性張出部間に前記収納室内が区画される仕切部を介装することが好ましい。仕切部は１〜３枚使用される。これにより、小物の整理が上手くでき使い勝手も良くなる。
【００１０】
更に、請求項１または２の場合、請求項５記載のように前記前覆部からその底覆部を介して前記ランドセル本体側に亘り連続しかつ前記前覆部を常に前側へ傾動するように付勢する帯状の板ばねを内装するようにしても良い。
【００１１】
請求項２記載のランドセルにあって、請求項６記載のように前記前覆部は、その横幅が上側へ進むに従い漸次狭くなるように成形されることが好ましい。このように、前記前覆部の上側の横幅を漸次狭くなるようにすることによって覆蓋部の圧迫による型崩れがなくなり、長期に亘り使用しても初期の美しい外観を保持できる。
【００１２】
また、同項のランドセルにあって、請求項７記載のように前記両側襠部の各スライドファスナーに設けられるスライダーの引き手間に、手で操作することができる索条を差し渡すことが好ましい。そこで、小物の収納又は取出しに前記索条を操作することにより、左右側の両スライダーが同時に上下動するので、いちいち両側の各スライダーを手で操作する手間が省け、スライドファスナーの開閉動作が容易となる。
【００１３】
【発明の実施の形態】
以下、本発明に係るランドセルの実施の形態を図面に基づき説明する。図１は、本発明に係るランドセルの斜視図、図２は、同作用を示すランドセルの斜視図である。ランドセルＡは皮革、合成皮革、合成紙等の部材により成形される。図中、１はランドセル本体であり、このランドセル本体１は、背板部２、左右側の襠板部３及び底板部４、前側板部５により上面が開口６する箱状に成形され、内部に本やノートを収納する主収納部７が設けられる。また、背板部２の上端部に覆蓋部８が連接され、背板部２後面の所定位置には２本の肩掛けバンド９が取着されている。前記各背板部２、襠板部３、前側板部５はそれぞれ外側縁部を縫着して連接される。
【００１４】
前記前側板部５の前側には、小仕切板部１０と底部を含めた小襠板部１１とにより上面が開口１２する副収納部１３が区画成形される。小仕切板部１０は小襠板部１１と一体に成形され、小襠板部１１の後端縁が前記前側板部５に縫着される。１４は、前記左右側の襠板部３と小仕切板部１０の外周面に背板部２との間で巻回される締止ベルトであり、主収納部７または副収納部１３が外側へ無用に膨らんで型崩れするのを防止するためのものである。
【００１５】
そして、前記ランドセル本体１の外側であって、小仕切板部１０の前面に該小仕切板部１０より小さいポケット１５が設けられる。このポケット１５は、前覆部１６と底覆部１７と両側襠部１８と上側襠部１９とにより構成され、内部に収納室２０が成形される。前記両側襠部１８と上側襠部１９とは一体に成形され、底覆部１７と両側襠部１８と上側襠部１９の各後端縁が前記小仕切板部１０に縫着され、前端縁に前記前覆部１６が縫着されている。また、左右側の襠部１８と上側襠部１９とに亘り両端が該両側襠部１８の下端部まで達する連続したスライドファスナー２１が設けられる。このスライドファスナー２１には、２個のスライダー２２が設けられ、引き手２３を摘んで各スライダー２２をスライドさせスライドファスナー２１を開けることにより、前記前覆部１６がその下縁部を支点にして前側へ大きく傾動できるようになっている。
【００１６】
前記収納室２０の左右両側に、後端縁が小仕切板部１０に縫着されかつ前端縁が前覆部１６に縫着されて自在に伸びまたは屈曲する弾性張出部２４ａが配置される。この弾性張出部２４ａは例えば合成皮革により成形される。そして、各弾性張出部２４ａの上端縁にそれぞれ筒状部２５が設けられ、各筒状部２５内には図４に示すように弾性張出部２４ａと同様に自在に伸びまたは屈曲する弾性部材２６が挿通されている。この弾性部材２６は、例えばナイロン樹脂のような合成樹脂製または金属製の帯板から成形され、弾性に富み、前記前覆部１６を常に前側へ傾動するように付勢している。これにより、スライドファスナー２１を開けると、前記前覆部１６が自動的に前側へ傾動することとなる。前記弾性部材は２６は、安定性を増すため、その前後端部が弾性張出部２４ａと同様に小仕切板部１０、前覆部１６にそれぞれ縫着されて固定される。
【００１７】
前記左右側の弾性張出部２４ａ間には二枚の仕切部２７が一体に設けられ、収納室２０内を前後方向で三つに区画するようにしている。この仕切部２７の下端縁は、図３に示すように小仕切板部１０の下端部に一体に逢着されることなく浮かせてあるが、これはその取付を容易にするためであり、必要であればその下端縁を伸ばして小仕切板部１０の下端部に逢着するようにしても良い。また、一方の仕切部２７には、その前面にテレホンカード、写真など薄い物を収納する小収納部２８が設けられている。更に、前覆部１６の略中央部に透明な樹脂板により覆われる窓孔２９が開設されると共にその裏側に名前等のカードを収容する挿入部３０が設けられている。
【００１８】
本発明に係るランドセルＡは上記構成からなり、ポケット１５に三角定規や手帳などの小物を収納するときは、各スライダー２２の引き手２３を摘んでそれぞれ左右側へ移動させることにより、スライドファスナー２１を開ける。これにより、両側襠部１８及び上側襠部１９が開き、同時に図２、図３に示すように弾性張出部２４ａの付勢により前覆部１６が自動的に前側へ傾動し、この傾動した状態が保持される。よって、両側襠部１８と上側襠部１９とが大きく開くこととなって収納室２０内が良く見えるばかりか収納室２０への小物の出し入れも容易となる。収納または取出した後は、スライドファスナー２１を閉めておく。
【００１９】
図５、図６は他の実施の形態に係る弾性張出部が適用されるランドセルを示すものである。なお、これらは本発明に係るランドセルＡとほぼ同じ構成からなるので、同一部位は同一番号を付すことにより詳しい説明は割愛する。図５に示すランドセルＡ１では、弾性張出部２４ｂとして例えば、ナイロン樹脂のような合成樹脂製または金属製の弾性に富んだ帯板が用いられる。そして、スライドファスナー２１を閉めた状態では内側へ撓んで折れ曲るようにして配置され、前記前覆部１６を常に前側へ傾動するように付勢している。図６に示すランドセルＡ２では、弾性張出部２４ｃとして例えば、ナイロン樹脂のような合成樹脂製または金属製の弾性に富んだ帯板を扇子のように折りこんで成形される。そして、スライドファスナー２１を閉めた状態では内側へ折りこまれて配置され、前記前覆部１６を常に前側へ傾動するように付勢している。
なお、弾性張出部２４ａ〜２４ｃは、これら構成に限られるものではなく、他の構成であっても良い。
【００２０】
図７、図８も他の実施の形態に係るものである。なお、これは本発明に係るランドセルＡとほぼ同じ構成からなるので、同一部位は同一番号を付すことにより詳しい説明は割愛する。すなわち、この実施の形態に係るランドセルＡ４では、左右両側位置であって、前記前覆部１６からその底覆部１７を介して前記ランドセル本体１側である少仕切板部１０に亘り、連続しかつ前記前覆部１６を常に前側へ傾動するように付勢する帯状の板ばね３３が内装されている。この板ばね３３は、金属製であって弾性を有し、横断面が凹弧状をなすと共に所定の横幅寸法に設定され、凹弧面側へは復元弾性力を保持しつつ自由に屈曲するが、これを反対側へ屈曲させる場合は一定の力まで剛性が働いて、ある一定の力以上では急に屈曲が容易になる性質を持つ。また、板ばね３３の両端側に長手方向に沿った所定の間隔を離して、それぞれ一対の取付孔３４が開設されている。
【００２１】
前記前覆部１６及び底覆部１７は、外装皮３５ａと芯板３５ｂと内張り３５ｃとが貼着された三層構造になっており、少仕切板部１０は前面両側に前覆皮３６が貼着されている。そして、前記各板ばね３３を、その凹弧面が内側になるようにして、前覆部１６及び底覆部１７にあっては芯板３５ｂと内張り３５ｃ間に介在させ、また少仕切板部１０にあっては前覆皮３６の内側に介在させる。この状態で、前記各板ばね３３の取付孔３４にリベット３７をカシメ止めして固定する。これにより、両側襠部１８と上側襠部１９とが開いたとき前覆部１６が自動的に前側へ傾動することとなり、しかも、傾動した状態が保持できることから、小物の収納及び取出しが非常に容易で楽になる。なお、前記板ばね３３が金属製のときは、端縁が鋭利であることから長年使用している間に外装皮が切れて破損する可能性があり、このため、布地などで包んで介在することが望ましい。また、板ばね３３は、金属製以外に、弾性があり容易に屈曲するものであれば、合成樹脂など他の素材であっても良い。
【００２２】
また、この実施の形態では、前記収納室２０の左右両側に、後端縁が小仕切板部１０に縫着されかつ前端縁が前覆部１６に縫着されて自在に伸びまたは屈曲する張出片部３８が配置される。この張出片部３８は、例えば合成皮革で成形されており、内部に前記実施の形態のように弾性部材２６が挿通されていない。そして、両張出片部３８間に前記仕切部２７が一体に設けられることになる。
【００２３】
図９、図１０も他の実施の形態に係るランドセルを示すもので、その構成は本実施の形態に係るランドセルＡとほぼ同一なので、同一部位は同一番号を付すことにより詳しい説明は割愛する。このランドセルＡ３は、ポケット１５ａの形状が異なる。すなわち、このポケット１５ａは、上面が開口３１すると共にその両側襠部１８ａに該両側襠部１８ａの下端部まで達するスライドファスナー２１ａが設けられ、前記両スライドファスナー２１ａを開けることにより前覆部１６ａがその下縁部を支点にして前側へ傾動できるようなっている。
【００２４】
この場合、前記前覆部１６ａは、その横幅が上側へ進むに従い漸次狭くなるように成形されている。これは、前覆部１６ａの上側の横幅が漸次狭くなると、その分スライドファスナー２１ａが前側へ露出することとなって前覆部１６ａの左右側へのズレがなくなり、これによって覆蓋部８の圧迫があってもそれによる型崩れが生じないためである。よって、長期に亘り使用しても初期の美しい外観を保持できる。
【００２５】
また、前記両側襠部１８ａの各スライドファスナー２１ａに設けられるスライダー２２の引き手２３間に、手で操作することができる索条３２が差し渡されている。そこで、小物の収納又は取出しに際しては、前記索条３２を操作することにより、左右側の両スライダー２２が同時に上下動することとなる。よって、両側の各スライダー２２をいちいち手で操作する手間が省け、スライドファスナー２１ａの開閉動作が容易となる。この索条３２は、図示のように装飾性の高い鎖などを使用すれば一種のアクセサリーにもなって楽しさが増す。
【００２６】
この実施の形態に係るランドセルＡ３には、本発明に係る弾性張出部２４ａが適用されているが、図５または図６に示される弾性張出部２４ｂ，２４ｃなど他のものを適用することもできる。更には、図１１に示すように図７、図８と同様にして前覆部１６ａからその底覆部１７を介して前記ランドセル本体１側に亘り連続しかつ前記前覆部１６ａを常に前側へ傾動するように付勢する帯状の板ばね３３を内装するようにしても良い。この場合も収納室２０の左右両側には、例えば合成皮革から成形される張出片部３８が配置される。
【００２７】
【発明の効果】
以上説明したように、本発明に係るランドセルは、請求項１または２記載のようにポケットの前覆部がその下端縁を支点にして前側へ傾動できるように設けられているので、両側襠部と上側襠部とが大きく開くこととなって収納室内が良く見えるばかりか収納室への小物の出し入れも容易となり、ポケットが楽に使用できるという効果がある。
【００２８】
また、請求項３記載のようにポケットの収納室内に、前覆部を常に前側へ傾動するように付勢する弾性張出部を配置するようにすれば、両側襠部と上側襠部とが開いたとき前覆部が自動的に前側へ傾動することとなり、しかも、傾動した状態が保持できることから、小物の収納及び取出しが非常に容易で楽になる。
【００２９】
更に、請求項４記載のようにポケットの収納室内に、左右両側に前覆部を常に前側へ傾動するように付勢する弾性張出部を配置し、両弾性張出部間に収納室内が区画される仕切部を介装するようにすれば、小物の整理が上手くでき使い勝手も良くなる。
【００３０】
更にまた、請求項５記載のように前覆部からその底覆部を介してランドセル本体側に亘り連続しかつ前覆部を常に前側へ傾動するように付勢する帯状の板ばねを内装するようにすれば、この場合も両側襠部と上側襠部とが開いたとき前覆部が自動的に前側へ傾動することとなり、しかも、傾動した状態が保持できることから、小物の収納及び取出しが非常に容易で楽になる。
【００３１】
請求項２記載のランドセルにあって、請求項６記載のように前記前覆部の横幅が上側へ進むに従い漸次狭くなるように成形すれば、覆蓋部の圧迫による型崩れがなくなり、長期に亘り使用しても初期の美しい外観を保持できる。
【００３２】
また、同項のランドセルにあって、請求項７に記載のように前記両側襠部の各スライドファスナーに設けられるスライダーの引き手間に、手で操作することができる索条を差し渡すようにすれば、小物の収納又は取出しに前記索条を操作することにより、左右側の両スライダーが同時に上下動するので、両側の各スライダーをいちいち手で操作する手間が省け、スライドファスナーの開閉動作が容易となる。
【００３３】
更に、この場合も請求項５記載のように前覆部からその底覆部を介してランドセル本体側に亘り連続しかつ前覆部を常に前側へ傾動するように付勢する帯状の板ばねを内装するようにすれば、小物の収納及び取出しが非常に容易で楽になる。
【図面の簡単な説明】
【図１】本発明に係るランドセルの斜視図。
【図２】同作用を示すランドセルの斜視図。
【図３】同中央側面断面図。
【図４】図３のＸ−Ｘ線矢視方向から見た断面斜視図。
【図５】他の実施の形態に係る弾性張出部を適用したランドセルの斜視図。
【図６】他の実施の形態に係る弾性張出部を適用したランドセルの斜視図。
【図７】他の実施の形態に係り、板ばねを適用したランドセルの斜視図。
【図８】同中央側面断面図。
【図９】他の実施の形態に係るランドセルの斜視図。
【図１０】同作用を示すランドセルの斜視図。
【図１１】他の実施の形態に係り、板ばねを適用したランドセルの斜視図。
【符号の説明】
１　　　　　　　　　　　ランドセル本体
１５，１５ａ　　　　　　ポケット
１６，１６ａ　　　　　　前覆部
１８，１８ａ　　　　　　襠部
１９　　　　　　　　　　上側襠部
２０　　　　　　　　　　収納室
２１　　　　　　　　　　スライドファスナー
２２　　　　　　　　　　スライダー
２３　　　　　　　　　　引き手
２４ａ〜２４ｃ　　　　　弾性張出部
２７　　　　　　　　　　仕切部
３１　　　　　　　　　　開口
３２　　　　　　　　　　索条
３３　　　　　　　　　　板ばね
Ａ〜Ａ４　　　　　　　　ランドセル
【図１】
2004041243.tif 000003
【図２】
2004041243.tif 000004
【図３】
2004041243.tif 000005
【図４】
2004041243.tif 000006
【図５】
2004041243.tif 000007
【図６】
2004041243.tif 000008
【図７】
2004041243.tif 000009
【図８】
2004041243.tif 000010
【図９】
2004041243.tif 000011
【図１０】
2004041243.tif 000012
【図１１】
2004041243.tif 000013